(57)【特許請求の範囲】
【請求項１】
既知のパスウェイの情報を記憶したデータベースと、
複数のサンプルの表現型に関する情報および網羅的発現情報を入力する入力部と、
前記データベースから一のパスウェイを読み出し、前記複数のサンプルについて、前記網羅的発現情報から前記パスウェイを構成する遺伝子の発現情報を抽出し、前記サンプルの前記パスウェイ固有の発現情報を生成するパスウェイ固有遺伝子発現情報生成部と、
前記パスウェイ固有の発現情報に基づいて前記複数のサンプルを複数の群にクラスタリングするクラスタリング部と、
表現型が異なる前記複数のサンプルが所定の閾値以上の精度で互いに異なる前記複数の群に分類された否かを前記表現型に関する情報に応じて判定し、所定の閾値以上の精度で分類されたと判定された場合には、当該パスウェイを前記表現型に特異的なパスウェイとして抽出するパスウェイ適合性判定部と、
前記パスウェイ適合性判定部にて抽出されたパスウェイの情報を出力する出力部と、
を備える遺伝子発現情報解析装置。
【請求項２】
前記複数のサンプルは複数の表現型に関する情報を有しており、
前記パスウェイ適合判定部は、それぞれの表現型について、前記複数のサンプルが所定の閾値以上の精度で前記複数の群に分けられたか否かを判定し、
前記出力部は、前記パスウェイ適合性判定部にて抽出されたパスウェイと、そのパスウェイを抽出した表現型を出力する請求項１に記載の遺伝子発現情報解析装置。
【請求項３】
前記表現型に関する情報は、疾患の有無の情報である請求項１または２に記載の遺伝子発現情報解析装置。
【請求項４】
前記パスウェイ適合性判定部にて抽出された表現型特異的パスウェイに含まれる遺伝子の中から、前記表現型の値の違いによって発現量の変動が大きいシグネチャ遺伝子を抽出するシグネチャ遺伝子抽出部を備える、請求項１ないし３のいずれかに記載の遺伝子発現情報解析装置。
【請求項５】
前記網羅的発現情報は、遺伝子のメチル化レベル情報、mRNAの発現情報、及びタンパク質の発現情報であり、
前記パスウェイ適合性判定部は、遺伝子のメチル化レベル情報、mRNAの発現情報、及びタンパク質の発現情報のそれぞれを用いて求めた表現型特異的パスウェイと、当該パスウェイを抽出したときの分類の精度の情報を出力し、
遺伝子のメチル化レベル情報、mRNAの発現情報、及びタンパク質の発現情報のそれぞれを用いて求めた表現型特異的パスウェイの情報と前記分類の精度の情報とに基づいて総合的な表現型特異的パスウェイを求める請求項１ないし３のいずれかに記載の遺伝子発現情報解析装置。
【請求項６】
前記パスウェイ適合性判定部にて抽出された遺伝子のメチル化レベル情報、mRNAの発現情報、及びタンパク質の発現情報のそれぞれを用いて求めた表現型特異的パスウェイについて、当該表現型特異的パスウェイに含まれる遺伝子の中から、前記表現型の値の違いによって発現量の変動が大きいシグネチャ遺伝子を抽出するシグネチャ遺伝子抽出部を備える、請求項５に記載の遺伝子発現情報解析装置。
【請求項７】
前記シグネチャ遺伝子抽出部にて抽出したシグネチャ遺伝子の発現量を要素とするサンプルの発現量のベクトルを生成し、前記ベクトルに基づいて前記サンプルどうしの偏相関係数を求め、求めた偏相関係数に基づいて前記複数のサンプルをクラスタリングする請求項４に記載の遺伝子発現情報解析装置。
【請求項８】
前記シグネチャ遺伝子抽出部にて抽出した遺伝子のメチル化レベル情報、mRNAの発現情報、及びタンパク質の発現情報のそれぞれを用いて求めたシグネチャ遺伝子の発現量を要素とするサンプルの発現量のベクトルを生成し、前記ベクトルに基づいて前記サンプルどうしの偏相関係数を求め、求めた偏相関係数に基づいて前記複数のサンプルをクラスタリングする請求項６に記載の遺伝子発現情報解析装置。
【請求項９】
前記シグネチャ遺伝子抽出部にて抽出した遺伝子のメチル化レベル情報、mRNAの発現情報、及びタンパク質の発現情報のそれぞれを用いて求めた前記シグネチャ遺伝子のベクトルを、当該シグネチャ遺伝子の前記複数のサンプルにおける発現量を要素として生成し、前記ベクトルに基づいて、メチル化レベル情報から求めたシグネチャ遺伝子とmRNAの発現情報から求めたシグネチャ遺伝子との偏相関係数、及び、mRNAの発現情報から求めたシグネチャ遺伝子とタンパク質の発現情報から求めたシグネチャ遺伝子との偏相関係数を求め、求めた偏相関係数に基づいて、遺伝子のメチル化レベル情報とmRNAの発現情報とタンパク質の発現情報の連鎖モデルを生成する請求項６に記載の遺伝子発現情報解析装置。
【請求項１０】
遺伝子発現情報解析装置が、複数のサンプルの表現型に関する情報および網羅的発現情報を入力するステップと、
前記遺伝子発現情報解析装置が、前記複数のサンプルの表現型に関する情報および網羅的発現情報に基づいて、表現型特異的なパスウェイを探索するステップと、
前記遺伝子発現情報解析装置が、抽出されたパスウェイを出力するステップと、
を備え、
前記表現型特異的なパスウェイを探索するステップは、
前記遺伝子発現情報解析装置が、前記複数のサンプルについて、前記網羅的発現情報から、前記パスウェイを構成する遺伝子の発現情報を抽出し、前記サンプルの前記パスウェイ固有の発現情報を生成するステップと、
前記遺伝子発現情報解析装置が、前記パスウェイ固有の発現情報に基づいて前記複数のサンプルを複数の群にクラスタリングするステップと、
前記遺伝子発現情報解析装置が、表現型が異なる前記複数のサンプルが所定の閾値以上の精度で互いに異なる前記複数の群に分類されたか否かを前記表現型に関する情報に応じて判定し、所定の閾値以上の精度で分類されたと判定された場合には、当該パスウェイを前記表現型に特異的なパスウェイとして抽出するステップと、
を繰り返し行う遺伝子発現情報解析方法。
【請求項１１】
遺伝子発現情報の解析を行うためのプログラムであって、コンピュータに、
複数のサンプルの表現型に関する情報および網羅的発現情報を入力するステップと、
前記複数のサンプルの表現型に関する情報および網羅的発現情報に基づいて、表現型特異的なパスウェイを探索するステップと、
抽出されたパスウェイを出力するステップと、
を実行させ、
前記表現型特異的なパスウェイを探索するステップは、
前記複数のサンプルについて、前記網羅的発現情報から、前記パスウェイを構成する遺伝子の発現情報を抽出し、前記サンプルの前記パスウェイ固有の発現情報を生成するステップと、
前記パスウェイ固有の発現情報に基づいて前記サンプルを複数の群にクラスタリングするステップと、
表現型が異なる前記複数のサンプルが所定の閾値以上の精度で互いに異なる前記複数の群に分類されたか否かを前記表現型に関する情報に応じて判定し、所定の閾値以上の精度で分類されたと判定された場合には、当該パスウェイを前記表現型に特異的なパスウェイとして抽出するステップと、
を繰り返し行うプログラム。
【発明の詳細な説明】
【技術分野】
【０００１】
本発明は、コントロールに比べて発現量の変動が大きい遺伝子（これを「シグネチャ遺伝子」という）及びシグネチャ遺伝子を含むパスウェイを探索する技術に関する。
【背景技術】
【０００２】
従来、シグネチャ遺伝子及びそのパスウェイを探索する方法としては、コントロールとサンプルの網羅的発現情報を比較し、発現量の相違が大きいシグネチャ遺伝子を探索し、その後で、既知のパスウェイのデータベースの中から、当該シグネチャ遺伝子を多く含むパスウェイを探すのが一般的であった（非特許文献１）。
【先行技術文献】
【非特許文献】
【０００３】
【非特許文献１】藤渕航、堀本勝久  編集「マイクロアレイデータ統計解析プロトコール」羊土社
【発明の概要】
【発明が解決しようとする課題】
【０００４】
シグネチャ遺伝子を探索する対象の遺伝子は数万〜数十万個にも及ぶ場合があるが、これらの大量の遺伝子に対してマイクロアレイ解析等を行うと、それらの中にノイズが含まれてしまうことがあった。その結果、ノイズによって異常値を有する遺伝子をシグネチャ遺伝子として誤って探索してしまうという不都合が生じる場合があった。
【０００５】
本発明は、上記背景に鑑み、ノイズの影響を受けにくいシグネチャ遺伝子及びパスウェイの探索技術を提供することを目的とする。
【課題を解決するための手段】
【０００６】
本発明の遺伝子発現情報解析装置は、既知のパスウェイの情報を記憶したデータベースと、複数のサンプルの表現型に関する情報および網羅的発現情報を入力する入力部と、前記データベースから一のパスウェイを読み出し、前記複数のサンプルについて、前記網羅的発現情報から前記パスウェイを構成する遺伝子の発現情報を抽出し、前記サンプルの前記パスウェイ固有の発現情報を生成するパスウェイ固有遺伝子発現情報生成部と、前記パスウェイ固有の発現情報に基づいて前記複数のサンプルを複数の群にクラスタリングするクラスタリング部と、前記複数のサンプルが前記表現型に関する情報に応じて所定の閾値以上の精度で前記複数の群に分類された否かを判定し、所定の閾値以上の精度で分類されたと判定された場合には、当該パスウェイを前記表現型に特異的なパスウェイとして抽出するパスウェイ適合性判定部と、前記パスウェイ適合性判定部にて抽出されたパスウェイの情報を出力する出力部とを備える。
【０００７】
このようにパスウェイに含まれる少数の遺伝子の発現情報だけを比較して、パスウェイが表現型特異的かどうかによってパスウェイ適合性を判定しているので、表現型特異的なパスウェイの抽出に際してノイズの影響を抑制できる。
【０００８】
本発明の遺伝子発現情報解析装置は、前記複数のサンプルは複数の表現型に関する情報を有しており、前記パスウェイ適合判定部は、それぞれの表現型について、前記複数のサンプルが所定の閾値以上の精度で前記複数の群に分けられたか否かを判定し、前記出力部は、前記パスウェイ適合性判定部にて抽出されたパスウェイと、そのパスウェイを抽出した表現型を出力してもよい。表現型に関する情報としては、例えば、疾患の有無、疾患のステージ、薬剤の応答性、予後の状態等の情報を用いることができる。
【０００９】
このようにサンプルが複数の表現型に関する情報を有している場合には、それぞれのパスウェイについて、どの表現型情報に特異的であるかを求めることができ、効率良く、表現型特異的なパスウェイを求めることができる。従来は、表現型に応じたパスウェイを探索することは困難であったが、本発明の構成によれば、表現型に特異的なパスウェイを容易に求めることができる。
【００１０】
本発明の遺伝子発現情報解析装置は、前記パスウェイ適合性判定部にて抽出された表現型特異的パスウェイに含まれる遺伝子の中から、前記表現型の値の違いによって発現量の変動が大きいシグネチャ遺伝子を抽出するシグネチャ遺伝子抽出部を備えてもよい。
【００１１】
この構成により、ノイズの影響を抑制して求めたパスウェイに含まれる遺伝子の中からシグネチャ遺伝子を抽出しているので、シグネチャ遺伝子を抽出する際にもノイズの影響を抑制できる。
【００１２】
本発明の遺伝子発現情報解析装置において、前記網羅的発現情報は、遺伝子のメチル化レベル情報、mRNAの発現情報、及びタンパク質の発現情報であり、前記パスウェイ適合性判定部は、遺伝子のメチル化レベル情報、mRNAの発現情報、及びタンパク質の発現情報のそれぞれを用いて求めた表現型特異的パスウェイと、当該パスウェイを抽出したときの分類の精度の情報を出力し、遺伝子のメチル化レベル情報、mRNAの発現情報、及びタンパク質の発現情報のそれぞれを用いて求めた表現型特異的パスウェイの情報と前記分類の精度の情報とに基づいて総合的な表現型特異的パスウェイを求めてもよい。
【００１３】
この構成により、多角的な網羅的発現情報に基づいて、表現型特異的なパスウェイを適切に求めることができる。
【００１４】
本発明の遺伝子発現情報解析装置は、前記パスウェイ適合性判定部にて抽出された遺伝子のメチル化レベル情報、mRNAの発現情報、及びタンパク質の発現情報のそれぞれを用いて求めた表現型特異的パスウェイについて、当該表現型特異的パスウェイに含まれる遺伝子の中から、前記表現型の値の違いによって発現量の変動が大きいシグネチャ遺伝子を抽出するシグネチャ遺伝子抽出部を備えてもよい。
【００１５】
遺伝子のメチル化レベル情報、mRNAの発現情報、及びタンパク質の発現情報のそれぞれの観点からシグネチャ遺伝子を求めることができる。
【００１６】
本発明の遺伝子発現情報解析装置は、前記シグネチャ遺伝子抽出部にて抽出したシグネチャ遺伝子の発現量を要素とするサンプルの発現量のベクトルを求め、前記ベクトルに基づいて前記サンプルどうしの偏相関係数を求め、求めた偏相関係数に基づいて前記複数のサンプルをクラスタリングしてもよい。
【００１７】
この構成により、ノイズを抑制して抽出されたシグネチャ遺伝子の発現量を要素とするベクトルを用いて、複数のサンプルを適切にクラスタリングすることができる。また、偏相関係数を用いることにより、対象としている２変数以外の他の変数の影響を除いた真の相関を求めることができる。これにより、分子レベルで病系分類を行うことができる。
【００１８】
本発明の遺伝子発現情報解析装置は、前記シグネチャ遺伝子抽出部にて抽出した遺伝子のメチル化レベル情報、mRNAの発現情報、及びタンパク質の発現情報のそれぞれを用いて求めたシグネチャ遺伝子の発現量を要素とするサンプルの発現量のベクトルを求め、前記ベクトルに基づいて前記サンプルどうしの偏相関係数を求め、求めた偏相関係数に基づいて前記複数のサンプルをクラスタリングしてもよい。
【００１９】
この構成により、ノイズを抑制して抽出されたシグネチャ遺伝子の発現量を要素とするベクトルを用いて、複数のサンプルを適切にクラスタリングすることができる。また、偏相関係数を用いることにより、対象としている２変数以外の他の変数の影響を除いた真の相関を求めることができる。さらに、遺伝子のメチル化レベル情報、mRNAの発現情報、及びタンパク質の発現情報を用いて求めたシグネチャ遺伝子の発現量を要素とするサンプルの発現量のベクトルを用いることにより、分子レベルで適切な病系分類を行うことができる可能性を高めることができる。病気が、遺伝子のメチル化レベル、mRNAの発現、タンパク質の発現のいずれに影響を与えるのかということは予め分かってはいないので、どの網羅的発現情報を用いればよいかは不明である。例えば、ある病気が遺伝子のメチル化レベルに影響を与えているにもかかわらず、mRNAの発現量を用いて求めたシグネチャ遺伝子だけを用いてクラスタリングを行ってしまうと正しく病系分類を行えないことになる。本発明では、遺伝子のメチル化レベル、mRNAの発現、タンパク質の発現の情報を用いて抽出したシグネチャ遺伝子を用いているので、病系分類の成功率を高めることができる。
【００２０】
本発明の遺伝子発現情報解析装置は、前記シグネチャ遺伝子抽出部にて抽出した遺伝子のメチル化レベル情報、mRNAの発現情報、及びタンパク質の発現情報のそれぞれを用いて求めた前記シグネチャ遺伝子のベクトルを、当該シグネチャ遺伝子の前記複数のサンプルにおける発現量を要素として生成し、前記ベクトルに基づいて、メチル化レベル情報から求めたシグネチャ遺伝子とmRNAの発現情報から求めたシグネチャ遺伝子との偏相関係数、及び、mRNAの発現情報から求めたシグネチャ遺伝子とタンパク質の発現情報から求めたシグネチャ遺伝子との偏相関係数を求め、求めた偏相関係数に基づいて、遺伝子のメチル化レベル情報とmRNAの発現情報とタンパク質の発現情報の連鎖モデルを生成してもよい。
【００２１】
この構成により、ノイズを抑制して抽出されたシグネチャ遺伝子のベクトルに基づいて、適切なネットワーク連鎖モデルを生成することができる。また、偏相関係数を用いることにより、対象としている２変数以外の他の変数の影響を除いた真の相関を求め、ひいては真のネットワーク連鎖モデルを生成することができる。ネットワーク連鎖モデルを生成することにより、どの遺伝子がどの遺伝子に対して影響を与えているかを知ることができる。
【００２２】
本発明の遺伝子発現情報解析方法は、遺伝子発現情報解析装置が、複数のサンプルの表現型に関する情報および網羅的発現情報を入力するステップと、前記遺伝子発現情報解析装置が、前記複数のサンプルの表現型に関する情報および網羅的発現情報に基づいて、表現型特異的なパスウェイを探索するステップと、前記遺伝子発現情報解析装置が、抽出されたパスウェイを出力するステップとを備え、前記表現型特異的なパスウェイを探索するステップは、前記遺伝子発現情報解析装置が、前記複数のサンプルについて、前記網羅的発現情報から、前記パスウェイを構成する遺伝子の発現情報を抽出し、前記サンプルの前記パスウェイ固有の発現情報を生成するステップと、前記遺伝子発現情報解析装置が、前記パスウェイ固有の発現情報に基づいて前記複数のサンプルを複数の群にクラスタリングするステップと、前記遺伝子発現情報解析装置が、前記複数のサンプルが前記表現型に関する情報に応じて所定の閾値以上の精度で前記複数の群に分類されたか否かを判定し、所定の閾値以上の精度で分類されたと判定された場合には、当該パスウェイを前記表現型に特異的なパスウェイとして抽出するステップとを繰り返し行う。
【００２３】
本発明のプログラムは、遺伝子発現情報の解析を行うためのプログラムであって、コンピュータに、複数のサンプルの表現型に関する情報および網羅的発現情報を入力するステップと、前記複数のサンプルの表現型に関する情報および網羅的発現情報に基づいて、表現型特異的なパスウェイを探索するステップと、抽出されたパスウェイを出力するステップとを実行させ、前記表現型特異的なパスウェイを探索するステップは、前記複数のサンプルについて、前記網羅的発現情報から、前記パスウェイを構成する遺伝子の発現情報を抽出し、前記サンプルの前記パスウェイ固有の発現情報を生成するステップと、前記パスウェイ固有の発現情報に基づいて前記サンプルを複数の群にクラスタリングするステップと、前記複数のサンプルが前記表現型に関する情報に応じて所定の閾値以上の精度で前記複数の群に分類されたか否かを判定し、所定の閾値以上の精度で分類されたと判定された場合には、当該パスウェイを前記表現型に特異的なパスウェイとして抽出するステップとを繰り返し行う。
【発明の効果】
【００２４】
本発明によれば、パスウェイに含まれる少数の遺伝子の発現情報だけを比較して、パスウェイが表現型特異的かどうかによってパスウェイ適合性を判定しているので、表現型特異的なパスウェイの抽出に際してノイズの影響を抑制できる。
【図面の簡単な説明】
【００２５】
【図１】第１の実施の形態の遺伝子発現情報解析装置の構成を示す図である。
【図２】パスウェイデータベースに記憶されたデータを模式的に示す図である。
【図３】遺伝子発現情報解析装置に入力されるサンプルの情報の例を示す図である。
【図４】パスウェイ固有遺伝子発現情報生成部の処理を模式的に示す図である。
【図５】（ａ）クラスタリング部によって、サンプルを２つの群にクラスタリングした例を示す。（ｂ）クラスタリング結果に表現型を当てはめた例を示す図である。（ｃ）クラスタリング結果に表現型を当てはめた例を示す図である。
【図６】第１の実施の形態の遺伝子発現情報解析装置の動作を示す図である。
【図７】第２の実施の形態の遺伝子発現情報解析装置の原理を示す図である。
【図８】複数のサンプルＳ1〜ＳNについて、シグネチャ遺伝子Ｓｇm，Ｓｇt，Ｓｇpの発現量のデータを記載した図である。
【図９】偏相関係数に基づいてサンプルＳ1〜ＳNをクラスタリングした例を示す図である。
【図１０】複数のサンプルＳ1〜ＳNについて、シグネチャ遺伝子Ｓｇm，Ｓｇt，Ｓｇpの発現量のデータを記載した図である。
【図１１】連鎖モデルを示す図である。
【発明を実施するための形態】
【００２６】
以下、本発明の実施の形態の遺伝子発現情報解析装置について、図面を参照して説明する。
（第１の実施の形態）
図１は、第１の実施の形態の遺伝子発現情報解析装置１の構成を示す図である。第１の実施の形態の遺伝子発現情報解析装置１は、既知のパスウェイの情報を記憶したパスウェイデータベース（以下、「パスウェイＤＢ」という）１０と、解析の対象となるサンプルの網羅的遺伝子発現情報を入力する入力部１１と、入力された情報を解析する制御部１２と、解析結果を出力する出力部１８とを有している。
【００２７】
遺伝子発現情報解析装置１は、ＣＰＵ、ＲＡＭ、ＲＯＭ、ディスプレイ、キーボード、マウス、通信インターフェース等を備えるコンピュータによって構成される。遺伝子発現情報解析のためのプログラムをＲＯＭに記憶しておき、ＣＰＵがＲＯＭからプログラムを読み出して実行することにより、コンピュータが遺伝子発現情報解析を行う。
【００２８】
図２は、パスウェイＤＢ１０に記憶されたデータの例を模式的に示す図である。図２に示すようにパスウェイＤＢ１０には、既知のパスウェイのデータとそのパスウェイを構成する遺伝子のデータが関連付けて記憶されている。図２に示す例では、例えば、パスウェイ：Ｐ００１は、遺伝子ａ，ｂ，ｃ，ｄ，・・・を含んでいる。パスウェイＤＢ１０としては、MSigDB（Molecular Signatures Database）、INOH Pathway Database（Integrating Network Objects with Hierarchies Pathway Database）、KEGG PATHWAYなどの既知のデータベースを用いることができる。
【００２９】
図３は、入力部１１より入力されるサンプルの情報の例を示す図である。サンプルの情報は、サンプルを特定するＩＤと、サンプルの表現型のデータと、遺伝子データを有している。例えば、ＩＤ：００００１の被験者の表現型は、疾患なし、ステージなし、薬剤応答性なしであり、その被験者のデータ（たとえばマイクロアレイデータ）はＤａｔａ００００１である。ＩＤ：００００２の被験者の表現型は、d-HCM（肥大型心筋症）の疾患あり、ステージ２、薬剤応答性５である。ここで、薬剤応答性は、薬剤に対する応答の大きさを５段階で評価した数値であり、数値が大きいほど、薬剤に対する応答性が大きい。
【００３０】
本実施の形態において、遺伝子データは、mRNA発現量である。本実施の形態では、mRNA発現量のデータを用いているが、遺伝子のメチル化の情報や、タンパク質の発現量の情報を用いてもよい。mRNA発現量のデータは、例えば、マイクロアレイ解析によって取得され、数万〜数十万のmRNAの発現量の情報を有している。
【００３１】
制御部１２は、入力されたサンプルの網羅的遺伝子発現情報に基づいて、ある表現型に着目したときのシグネチャ遺伝子及びパスウェイを求める機能を有している。例えば、表現型がd-HCMの疾患の有無であるとすると、制御部１２は、d-HCMの患者（サンプル）とd-HCMではない被験者（コントロール）とのmRNA発現量を比較したときに、発現量の変動の大きいシグネチャ遺伝子及びパスウェイを発見する機能を有している。このシグネチャ遺伝子は、d-HCMに関係の深い遺伝子であると理解される。シグネチャ遺伝子の知見は創薬等に利用することができる有益な情報である。
【００３２】
制御部１２は、パスウェイ読出部１３と、パスウェイ固有遺伝子発現情報生成部１４と、クラスタリング部１５と、パスウェイ適合性判定部１６と、シグネチャ遺伝子抽出部１７とを有している。パスウェイ読出部１３は、パスウェイＤＢ１０から、パスウェイの情報を読み出す機能を有している。
【００３３】
パスウェイ固有遺伝子発現情報生成部１４は、パスウェイ読出部１３にて読み出したパスウェイに含まれる遺伝子を特定する。例えば、パスウェイＰ００１の場合には、パスウェイを構成する遺伝子として、ａ，ｂ，ｃ，ｅ，・・・が特定される。パスウェイ固有遺伝子発現情報生成部１４は、入力部１１より入力された網羅的遺伝子発現情報の中から、特定された遺伝子の発現情報を抽出する機能を有する。
【００３４】
図４は、パスウェイ固有遺伝子発現情報生成部１４の処理を模式的に示す図である。図４の上に示すマトリックスは、入力部１１より入力された網羅的遺伝子発現情報を示す。マトリックスの一つ一つが遺伝子の発現情報を有している。この網羅的遺伝子発現情報において、パスウェイＡに含まれる遺伝子を特定し、特定された遺伝子発現情報を抽出して、パスウェイＡに含まれる遺伝子の発現情報を生成する。パスウェイ固有遺伝子発現情報生成部１４は、入力部１１より入力された全てのサンプルの情報に対してこの処理を行って、サンプルのパスウェイ固有の遺伝子発現情報を生成する。
【００３５】
クラスタリング部１５は、パスウェイ固有の遺伝子発現情報をクラスタリングして２つの群に分ける。クラスタリングには、k-means法などの既知の統計的手法を用いることができる。図５（ａ）は、クラスタリング部１５によって、パスウェイＡに固有の遺伝子について複数のサンプルを２つの群（図５において点線で囲って示す）にクラスタリングした例を示す。
【００３６】
パスウェイ適合性判定部１６は、パスウェイが表現型に特異的なものであるか否かを判定する機能を有する。本実施の形態のように、サンプルが複数の表現型に関する情報を有している場合には、各表現型についてパスウェイが特異的であるか否かを判定する。具体的には、パスウェイ適合性判定部１６は、表現型の値が異なるサンプル（例えば、疾患ありのサンプルと、疾患なしのサンプル）が、クラスタリング部１５にて分けられた２つの群に所定の精度で分類されたか否かを判定する。そして、ある表現型の値が異なるサンプルが所定の精度で２つの群に分類された場合には、その表現型に特異的なパスウェイであると判定する。
【００３７】
図５（ｂ）は、図５（ａ）に示すパスウェイＡに固有の遺伝子発現情報に基づくクラスタリングの結果に対して、「疾患の有無」という表現型を当てはめた例を示す図である。図５（ｂ）において、「Ｎ」は疾患なしを示し、「Ｄ」は疾患ありを示す。疾患の有無のデータは、サンプルの情報に含まれる表現型に関する情報である。
【００３８】
図５（ｂ）においては、左側の群には、疾患なしのサンプルが分類され、右側の群には疾患ありのサンプルが分類された。「疾患あり」「疾患なし」という表現型の違いによって、きれいに２つの群に分類されているので、このクラスタリングに用いたパスウェイ固有遺伝子を抽出したパスウェイＡは、「疾患の有無」という表現型に特異的なパスウェイであると判定する。
【００３９】
図５（ｃ）は、図５（ａ）に示すクラスタリングの結果に対して、「薬剤応答性」という表現型を当てはめた例を示す図である。図５（ｃ）において、「Ｙ」は薬剤応答性あり（つまり薬剤が効くこと）を示し、「Ｎ」は薬剤応答性なしを示す。図５（ｃ）においては、左側の群にも、右側の群にも、薬剤応答性ありと薬剤応答性なしの両方のサンプルが含まれており、このパスウェイＡによって分類することができていない。したがって、このパスウェイＡは、「薬剤応答性」の表現型に対しては特異的でないと判定する。
【００４０】
図５（ｂ）では、「疾患あり」のサンプルと「疾患なし」のサンプルとが完全に分類された例を示しているが、分類の精度は１００％でなくてもよく、例えば、９０％以上の精度で分類できた表現型については、その表現型に特異的なパスウェイであると判定してもよい。
【００４１】
シグネチャ遺伝子抽出部１７は、表現型に特異的なパスウェイに含まれる遺伝子の中からシグネチャ遺伝子を抽出する機能を有する。シグネチャ遺伝子抽出部１７は、特異的なパスウェイであるとの判断の元となった表現型の値の違いによって、発現量の変動の大きい遺伝子を求める。例えば、図５（ｂ）に示す例では、「疾患あり」に含まれる遺伝子発現情報と、「疾患なし」に含まれる遺伝子発現情報とを比較して、発現量の変動の大きい遺伝子を特定する。なお、シグネチャ遺伝子抽出部１７は、表現型の値が違うこと（例えば、疾患の有無）によって発現量の変動が大きい遺伝子を求めるのであって、クラスタリング部１５にて分類された２つの群の遺伝子発現情報を比較するのではない。以上、制御部１２の構成について説明した。
【００４２】
出力部１８は、制御部１２にて求めた表現型に特異的なパスウェイとシグネチャ遺伝子を出力する機能を有している。
【００４３】
図６は、第１の実施の形態の遺伝子発現情報解析装置１の動作を示す図である。本実施の形態の遺伝子発現情報解析装置１は、まず、入力部１１より、複数のサンプルの情報を入力する（Ｓ１０）。上述したとおり、サンプルの情報には、表現型に関する情報と網羅的遺伝子発現情報とが含まれている。
【００４４】
次に、遺伝子発現情報解析装置１は、パスウェイＤＢ１０から一のパスウェイの情報を読み出し（Ｓ１２）、当該パスウェイを構成する遺伝子の発現情報を入力されたサンプルの網羅的遺伝子発現情報から抽出して、パスウェイ固有の遺伝子発現情報を生成する（Ｓ１４）。続いて、遺伝子発現情報解析装置１は、パスウェイ固有の遺伝子発現情報に基づいて複数のサンプルを２つの群にクラスタリングする（Ｓ１６）。
【００４５】
次に、遺伝子発現情報解析装置１は、各表現型について、表現型の値が異なるサンプルが２つの群に所定の閾値以上の精度で分類されたか否かを判定する。所定の閾値以上の精度で分類された場合には、遺伝子発現情報解析装置１は、現在処理中のパスウェイがその表現型に特異的なパスウェイであると決定する（Ｓ１８）。
【００４６】
遺伝子発現情報解析装置１は、以上の処理を、パスウェイＤＢ１０に記憶された全パスウェイについて行ったか否かを判定し（Ｓ２０）、全パスウェイについて行っていないと判定した場合には（Ｓ２０でＮＯ）、パスウェイＤＢ１０から処理を行っていない別のパスウェイの情報を読み出して（Ｓ１２）、上記の処理を繰り返す。全パスウェイについて処理を行ったと判定された場合には（Ｓ２０でＹＥＳ）、遺伝子発現情報解析装置１は、表現型に特異的なパスウェイに含まれる遺伝子の中からその表現型のシグネチャ遺伝子を抽出する（Ｓ２２）。その後、遺伝子発現情報解析装置１は、表現型別に、表現型特異的なパスウェイとシグネチャ遺伝子の情報を出力する（Ｓ２４）。以上、第１の実施の形態の遺伝子発現情報解析装置１の構成及び動作について説明した。
【００４７】
第１の実施の形態の遺伝子発現情報解析装置１は、入力されたサンプルの網羅的遺伝子発現情報からパスウェイ固有の遺伝子発現情報を生成し、パスウェイ固有の遺伝子発現情報に基づいてサンプルをクラスタリングして得られた２つの群に、表現型の値の違うサンプルが精度良く分類されているか否かを判定することで、表現型に特異的なパスウェイを探索する。これにより、サンプルの網羅的遺伝子発現情報に含まれるノイズの影響を受けにくくでき、表現型特異的なパスウェイを適切に求めることができる。
【００４８】
従来の方法と比較して、本実施の形態の効果について説明する。ここで、マイクロアレイ解析によって求めたサンプルの遺伝子発現情報に０．１％の確率でノイズが含まれると仮定する。例えば、d-HCMのシグネチャ遺伝子を探索する従来法は、d-HCMの患者から取得したmRNA発現情報と、健常者のmRNA発現情報とを比較し、変動の大きい遺伝子を抽出していた。サンプルに２万個の遺伝子のデータを含まれていたとすると、２万個×０．１％＝２０個のmRNAの発現情報にはノイズが含まれ、異常値となる。異常値をとる２０個のmRNAは、実際にはd-HCMに特異的な遺伝子ではないとしても、d-HCMに特異的なmRNAと判定されてしまう可能性が高い。そして、この２０個のmRNAを含むシグネチャ遺伝子に基づいてパスウェイを求めると、誤ったパスウェイが求められてしまう。
【００４９】
これに対し、本実施の形態の方法では、最初にパスウェイ固有の発現遺伝子情報を生成している。パスウェイを構成する遺伝子数はせいぜい３０〜４０個程度であるので、０．１％の確率でノイズが含まれたとしても、パスウェイ固有の発現遺伝子情報の中に異常値が含まれる可能性は極めて低く、仮に含まれても１個か２個である。したがって、パスウェイ固有の発現遺伝子情報に基づくサンプルのクラスタリングに、ノイズの影響はほとんどなく、適切にクラスタリングを行うことができる。このクラスタリング結果を使って表現型に特異的なパスウェイを探索するので、適切なパスウェイを求めることができる。
【００５０】
（第２の実施の形態）
次に、第２の実施の形態の遺伝子発現情報解析装置について説明する。第２の実施の形態の遺伝子発現情報解析装置の基本的な構成は、第１の実施の形態と同じである。
【００５１】
図７は、第２の実施の形態の遺伝子発現情報解析装置の原理を示す図である。第２の実施の形態で用いられるサンプルには、遺伝子データとして、遺伝子のメチル化レベル情報、mRNA発現情報、及びタンパク質の発現情報が含まれている。遺伝子発現情報解析装置は、遺伝子のメチル化レベル情報、mRNA発現情報、及びタンパク質の発現情報のそれぞれに基づいて、表現型特異的なパスウェイを求め、それらの結果を統合して、表現型特異的なパスウェイとシグネチャ遺伝子を求める。
【００５２】
遺伝子のメチル化レベル情報、mRNA発現情報、及び、タンパク質の発現情報から表現型特異的なパスウェイを求める方法は、第１の実施の形態で説明した方法と同じである。すなわち、シグネチャ遺伝子の抽出に先立ってパスウェイ固有の遺伝子発現情報を生成しておき、パスウェイ固有の遺伝子発現情報に基づいてサンプルのクラスタリングを行い、クラスタリングされた２つの群が表現型の値が違うサンプルを精度良く分類しているか否かを判定することで、表現型に特異的なパスウェイを求める。これにより、遺伝子のメチル化レベル情報を用いて求めた表現型特異的パスウェイ、mRNA発現情報を用いて求めた表現型特異的パスウェイ、及び、タンパク質の発現情報を用いて求めた表現型特異的パスウェイが得られる。
【００５３】
第２の実施の形態では、この際に、表現型の値が違うサンプルを分類できた精度に基づいて、それぞれのパスウェイが表現型特異的なパスウェイである確率値を求める。分類の精度が高いほど、表現型特異的なパスウェイである確率値が高いものとして扱う。そして、それぞれの確率値にフィッシャーの式（Fisher's C）を適用して統合確率を求め、求めた統合確率に基づいて、表現型特異的パスウェイの決定を行う。第２の実施の形態の遺伝子発現情報解析装置は、３つの発現情報を用いて求めた表現型特異的パスウェイに含まれる遺伝子の中から、表現型がとる値の違いによって発現量の違いが大きいシグネチャ遺伝子を求める。
【００５４】
第２の実施の形態では、遺伝子のメチル化レベル情報、mRNA発現情報、及び、タンパク質の発現情報の３つの発現情報を用いて、マルチオミックス解析によって表現型特異的なパスウェイを求めるので、多角的な観点から表現特異的なパスウェイを求めることができる。
【００５５】
（第３の実施の形態）
次に、第３の実施の形態の遺伝子発現情報解析装置について説明する。第３の実施の形態の遺伝子発現情報解析装置は、シグネチャ遺伝子のデータを用いてサンプルの病系分類を行う。
【００５６】
第３の実施の形態の遺伝子発現情報解析装置の基本的な構成は、第２の実施の形態と同じである。第３の実施の形態の遺伝子発現情報解析装置は、遺伝子のメチル化レベル情報を用いて求めた表現型特異的パスウェイ、mRNA発現情報を用いて求めた表現型特異的パスウェイ、及び、タンパク質の発現情報を用いて求めた表現型特異的パスウェイのそれぞれから、シグネチャ遺伝子を求める。すなわち、（１）遺伝子のメチル化レベル情報を用いて求めた表現型特異的パスウェイの遺伝子の中からシグネチャ遺伝子Ｓｇm1，Ｓｇm2，Ｓｇm3，・・・Ｓｇmkを求め、（２）mRNA発現情報を用いて求めた表現型特異的パスウェイの遺伝子の中からシグネチャ遺伝子Ｓｇt1，Ｓｇt2，Ｓｇt3，・・・Ｓｇtlを求め、（３）タンパク質の発現情報を用いて求めた表現型特異的パスウェイの遺伝子の中からシグネチャ遺伝子Ｓｇp1，Ｓｇp2，Ｓｇp3，・・・Ｓｇpmを求める。
【００５７】
図８は、複数のサンプルＳ1〜ＳNについて、シグネチャ遺伝子Ｓｇm，Ｓｇt，Ｓｇpの発現量のデータを記載した図である。図８では省略しているが、サンプルとシグネチャ遺伝子の交点には、当該サンプルのシグネチャ遺伝子の発現量のデータが入っている。サンプルＳ1〜ＳNは、シグネチャ遺伝子Ｓｇm1，Ｓｇm2，Ｓｇm3，・・・Ｓｇmk，Ｓｇt1，Ｓｇt2，Ｓｇt3，・・・Ｓｇtl，Ｓｇp1，Ｓｇp2，Ｓｇp3，・・・Ｓｇpmの発現量を要素とするベクトルとして表現することができる。
【００５８】
第３の実施の形態の遺伝子発現情報解析装置は、上述したベクトルに基づいて、複数のサンプルの相互間の偏相関係数を求める。偏相関係数は、対象としている２変数以外の他の変数の影響を除いた真の相関を示す係数であり、公知の方法によって計算することができる。第３の実施の形態の遺伝子発現情報解析装置は、偏相関係数に基づいてサンプルＳ1〜ＳNをクラスタリングする。具体的には、サンプルＳ1〜ＳN間に偏相関係数の大きさに応じたエッジを張り、エッジの繋がり具合によってクラスタリングを行う。
【００５９】
図９は、偏相関係数に基づいてサンプルＳ1〜ＳNをクラスタリングした例を示す図である。図９に示す例では、サンプルＳ1，Ｓ4，Ｓ5，Ｓ8が一つの群にクラスタリングされ、サンプルＳ2，Ｓ3，Ｓ7が一つの群にクラスタリングされている。例えば、サンプルＳ1，Ｓ4，Ｓ5，Ｓ8がいずれも疾患Ａがあるサンプルであり、サンプルＳ2，Ｓ3，Ｓ7がいずれも疾患Ａがないサンプルであるとした場合、疾患Ａの有無を分子レベルで病系分類ができたことになる。したがって、第３の実施の形態の遺伝子発現情報解析装置を用いて、新しいサンプルの病系分類を分子レベルで客観的に行うことが可能となるので、経験が浅い医師であっても適切な診断を行うことが可能となる。なお、従来は、病系分類には、階層型クラスタリングが用いられることがあったが、病系分類をうまく行えない場合があった。例えば、腎がんは、分子レベルの病系分類を行うことができなかったが、本発明者らのこの方法により初めて分子レベルの病系分類を行えるようになった。
【００６０】
本実施の形態では、（１）遺伝子のメチル化レベル情報を用いて求めたシグネチャ遺伝子Ｓｇm1，Ｓｇm2，Ｓｇm3，・・・Ｓｇmk、（２）mRNA発現情報を用いて求めたシグネチャ遺伝子Ｓｇt1，Ｓｇt2，Ｓｇt3，・・・Ｓｇtl、（３）タンパク質の発現情報を用いて求めたシグネチャ遺伝子Ｓｇp1，Ｓｇp2，Ｓｇp3，・・・Ｓｇpmを用いているので、病気が遺伝子のメチル化レベル、mRNA発現、タンパク質の発現のいずれに影響を与える場合であっても、適切なクラスタリングを行える可能性が高い。
【００６１】
本実施の形態では、（１）シグネチャ遺伝子Ｓｇm1，Ｓｇm2，Ｓｇm3，・・・Ｓｇmk、（２）シグネチャ遺伝子Ｓｇt1，Ｓｇt2，Ｓｇt3，・・・Ｓｇtl、（３）シグネチャ遺伝子Ｓｇp1，Ｓｇp2，Ｓｇp3，・・・Ｓｇpmを用いて、サンプルのクラスタリングを行ったが、必ずしもすべての発現情報を用いなくてもよく、上記（１）〜（３）のうちの１つを用いたり、２つを組み合わせて用いてもよい。
【００６２】
（第４の実施の形態）
次に、第４の実施の形態の遺伝子発現情報解析装置について説明する。遺伝情報は、遺伝子のメチル化、mRNA発現、タンパク質の発現の順に伝達されるが、第４の実施の形態の遺伝子発現情報解析装置は、遺伝子のメチル化、mRNA発現、タンパク質の発現のそれぞれの段階において、遺伝子がどのように影響し合っているかを解析する。
【００６３】
第４の実施の形態の遺伝子発現情報解析装置の基本的な構成は、第３の実施の形態と同じである。第４の実施の形態の遺伝子発現情報解析装置は、遺伝子のメチル化レベル情報を用いて求めた表現型特異的パスウェイ、mRNA発現情報を用いて求めた表現型特異的パスウェイ、及び、タンパク質の発現情報を用いて求めた表現型特異的パスウェイのそれぞれから、シグネチャ遺伝子を求める。すなわち、（１）遺伝子のメチル化レベル情報を用いて求めた表現型特異的パスウェイの遺伝子の中からシグネチャ遺伝子Ｓｇm1，Ｓｇm2，Ｓｇm3，・・・Ｓｇmkを求め、（２）mRNA発現情報を用いて求めた表現型特異的パスウェイの遺伝子の中からシグネチャ遺伝子Ｓｇt1，Ｓｇt2，Ｓｇt3，・・・Ｓｇtlを求め、（３）タンパク質の発現情報を用いて求めた表現型特異的パスウェイの遺伝子の中からシグネチャ遺伝子Ｓｇp1，Ｓｇp2，Ｓｇp3，・・・Ｓｇpmを求める。
【００６４】
図１０は、複数のサンプルＳ1〜ＳNについて、シグネチャ遺伝子Ｓｇm，Ｓｇt，Ｓｇpの発現量のデータを記載した図である。図１０では省略しているが、サンプルとシグネチャ遺伝子の交点には、当該サンプルのシグネチャ遺伝子の発現量のデータが入っている。シグネチャ遺伝子Ｓｇm1，Ｓｇm2，Ｓｇm3，・・・Ｓｇmk，Ｓｇt1，Ｓｇt2，Ｓｇt3，・・・Ｓｇtl，Ｓｇp1，Ｓｇp2，Ｓｇp3，・・・Ｓｇpmは、サンプルＳ1〜ＳNの当該シグネチャ遺伝子の発現量を要素とするベクトルとして表現することができる。
【００６５】
第４の実施の形態の遺伝子発現情報解析装置は、上述したベクトルに基づいて、（１）遺伝子のメチル化レベル情報を用いて求めたシグネチャ遺伝子Ｓｇm1，Ｓｇm2，Ｓｇm3，・・・Ｓｇmkと（２）mRNA発現情報を用いて求めたシグネチャ遺伝子Ｓｇt1，Ｓｇt2，Ｓｇt3，・・・Ｓｇtlの偏相関係数を求めると共に、（２）mRNA発現情報を用いて求めたシグネチャ遺伝子Ｓｇt1，Ｓｇt2，Ｓｇt3，・・・Ｓｇtlと（３）タンパク質の発現情報を用いて求めたシグネチャ遺伝子Ｓｇp1，Ｓｇp2，Ｓｇp3，・・・Ｓｇpmの偏相関係数を求める。
【００６６】
第３の実施の形態の遺伝子発現情報解析装置は、偏相関係数に基づいて（１）シグネチャ遺伝子Ｓｇm1，Ｓｇm2，Ｓｇm3，・・・Ｓｇmkと、（２）シグネチャ遺伝子Ｓｇt1，Ｓｇt2，Ｓｇt3，・・・Ｓｇtlと、（３）シグネチャ遺伝子Ｓｇp1，Ｓｇp2，Ｓｇp3，・・・Ｓｇpmとの偏相関を表す連鎖モデルを生成する。
【００６７】
図１１は、連鎖モデルを示す図である。シグネチャ遺伝子のベクトルの偏相関が高いということは、シグネチャ遺伝子の各段階での発現の原因と結果の関係になっている可能性がある。例えば、シグネチャ遺伝子Ｓｇm1とシグネチャ遺伝子Ｓｇt1，Ｓｇt2の偏相関が高いが、これはシグネチャ遺伝子Ｓｇm1のメチル化がシグネチャ遺伝子Ｓｇt1，Ｓｇt2のｍRNAの発現の原因になっている可能性があると判断することができる。このようにメチル化レベルとmRNAの発現とタンパク質の発現の各段階でのシグネチャ遺伝子どうしの関係が明らかになることにより、どのシグネチャ遺伝子に働きかければ有効であるかの手がかりを得ることができる。例えば、上述の例では、シグネチャ遺伝子Ｓｇm1のメチル化がシグネチャ遺伝子Ｓｇt1，Ｓｇt2のｍRNAの発現に関係していることが分かるから、シグネチャ遺伝子Ｓｇm1のメチル化をブロックすれば、シグネチャ遺伝子Ｓｇt1，Ｓｇt2のmRNAの発現量を増やすことができること（あるいはその逆）が分かる。
【００６８】
以上、本発明の遺伝子発現情報解析装置について実施の形態を挙げて詳細に説明したが、本発明は上述した実施の形態に限定されない。
上述した第１の実施の形態では、クラスタリング部１５は、サンプルを２つの群にクラスタリングする例を挙げているが、クラスタリング部１５は、３つ以上の群にクラスタリングをしてもよい。例えば、表現型が取りうる値が３つある場合には、３つの群にクラスタリングし、表現型が取りうる値に応じてサンプルが３つの群に精度良く分類されたか否かによって、パスウェイ適合性を判断してもよい。
【００６９】
上述した第３の実施の形態及び第４の実施の形態では、第２の実施の形態の遺伝子発現情報解析装置で求めたシグネチャ遺伝子及びその発現量のデータを用いる例について説明したが、第３の実施の形態で説明したサンプルのクラスタリング、第４の実施の形態の遺伝子の連鎖モデルの生成は、第２の実施の形態の遺伝子発現情報解析方法によって求めた以外のシグネチャ遺伝子にも適用することができる。
【産業上の利用可能性】
【００７０】
本発明は、表現型特異的なパスウェイの抽出に際してノイズの影響を抑制できるという効果を有し、遺伝子発現情報の中からシグネチャ遺伝子を抽出する技術に有用である。
【符号の説明】
【００７１】
１  遺伝子発現情報解析装置
１０  パスウェイＤＢ
１１  入力部
１２  制御部
１３  パスウェイ読出部
１４  パスウェイ固有遺伝子発現情報生成部
１５  クラスタリング部
１６  パスウェイ適合性判定部
１７  シグネチャ遺伝子抽出部
１８  出力部
【図１】
0006356015.tif 000002
【図２】
0006356015.tif 000003
【図３】
0006356015.tif 000004
【図４】
0006356015.tif 000005
【図５】
0006356015.tif 000006
【図６】
0006356015.tif 000007
【図７】
0006356015.tif 000008
【図８】
0006356015.tif 000009
【図９】
0006356015.tif 000010
【図１０】
0006356015.tif 000011
【図１１】
0006356015.tif 000012